(57)【要約】【課題】塵埃をその大きさに適した廃棄方法で廃棄可能な電気掃除機を提供する。【解決手段】電気掃除機は、本体ケースに対して着脱可能であり、電動送風機の駆動により吸い込んだ塵埃を分離して捕集する第１分離部を有する。電気掃除機は、第１分離部と電動送風機との間に位置し、第１分離部で分離する塵埃よりも微細な塵埃を遠心分離する第２分離部42を有する。電気掃除機は、本体ケースと別体で、本体ケースに対して着脱可能であり、第２分離部42で分離した塵埃を捕集する集塵ケース45を有する。電気掃除機は、集塵ケース45を本体ケースに対して着脱する方向へとガイドし、本体ケースに対する取り外し方向へのガイドにより第２分離部42と集塵ケース45とを分離させるとともに、本体ケースに対する取り付け方向へのガイドにより第２分離部42と集塵ケース45とを接続させるガイド部86を有する。【選択図】図１
2013059500.tif 000002
【特許請求の範囲】
【請求項１】
電動送風機を収容した本体ケースと、
この本体ケースに対して着脱可能であり、前記電動送風機の駆動により吸い込まれた塵埃を分離して捕集する第１分離部と、
この第１分離部と前記電動送風機との間に位置し、前記第１分離部で分離する塵埃よりも微細な塵埃を遠心分離する第２分離部と、
前記本体ケースと別体で、この本体ケースに対して着脱可能であり、前記第２分離部で分離された塵埃を捕集する集塵部と、
少なくともこの集塵部を前記本体ケースに対して着脱する方向へとガイドし、前記本体ケースに対する取り外し方向へのガイドにより前記第２分離部と前記集塵部とを分離させるとともに、前記本体ケースに対する取り付け方向へのガイドにより前記第２分離部と前記集塵部とを接続させるガイド部と
を具備したことを特徴とした電気掃除機。
【請求項２】
第２分離部は、本体ケースに対して着脱可能であり、
ガイド部は、
前記第２分離部を前記本体ケースに対して着脱可能にガイドする分離部ガイド部と、
集塵部を前記本体ケースに対して着脱可能にガイドする集塵部ガイド部とを備え、
前記第２分離部と前記集塵部との少なくともいずれか一方を前記本体ケースに対する取り外し方向へと、前記第２分離部と前記集塵部とが互いに分離する位置まで付勢する付勢手段を具備した
ことを特徴とした請求項１記載の電気掃除機。
【請求項３】
第２分離部と集塵部との少なくともいずれか一方に設けられ、前記第２分離部と前記集塵部とのいずれか一方の本体ケースへの取り付けに他方を連動させる連動部を具備した
ことを特徴とした請求項２記載の電気掃除機。
【発明の詳細な説明】
【技術分野】
【０００１】
本発明の実施形態は、第１分離部、および、この第１分離部で分離する塵埃よりも微細な塵埃を遠心分離する複数の第２分離部を備えた電気掃除機に関する。
【背景技術】
【０００２】
従来、例えば塵埃を遠心分離(サイクロン分離)して捕集する集塵装置を備え、この集塵装置が、含塵空気中の粗塵、例えば繊維ごみなどを遠心分離する第１分離部と、この第１分離部の下流に接続され第１分離部を通過した細塵(微細塵)を遠心分離する第２分離部とを備えた構成が知られている。
【先行技術文献】
【特許文献】
【０００３】
【特許文献１】特許第４４４４９４６号公報
【発明の概要】
【発明が解決しようとする課題】
【０００４】
上記特許文献１に記載された電気掃除機は、掃除機本体に固定された第２分離部により捕集した細塵を第１分離部へと戻し、第１分離部を掃除機本体から取り外すことにより粗塵および細塵を一度に廃棄できるように構成されている。このため、塵埃を廃棄する際に細塵が舞い上がるなど、塵埃を廃棄しにくいという問題がある。
【０００５】
本発明が解決しようとする課題は、塵埃をその大きさに適した廃棄方法で廃棄可能な電気掃除機を提供することである。
【課題を解決するための手段】
【０００６】
実施形態の電気掃除機は、電動送風機を収容した本体ケースを有する。また、この電気掃除機は、本体ケースに対して着脱可能であり、電動送風機の駆動により吸い込まれた塵埃を分離して捕集する第１分離部を有する。さらに、この電気掃除機は、第１分離部と電動送風機との間に位置し、第１分離部で分離する塵埃よりも微細な塵埃を遠心分離する第２分離部を有する。また、この電気掃除機は、本体ケースと別体で、この本体ケースに対して着脱可能であり、第２分離部で分離された塵埃を捕集する集塵部を有する。そして、この電気掃除機は、少なくとも集塵部を本体ケースに対して着脱する方向へとガイドし、本体ケースに対する取り外し方向へのガイドにより第２分離部と集塵部とを分離させるとともに、本体ケースに対する取り付け方向へのガイドにより第２分離部と集塵部とを接続させるガイド部を有する。
【図面の簡単な説明】
【０００７】
【図１】一実施形態の電気掃除機の一部を示す斜視断面図である。
【図２】同上電気掃除機の一部を拡大して示す斜視断面図である。
【図３】同上電気掃除機の本体ケースから第２分離部および集塵部を取り外した状態を示す斜視図である。
【図４】同上本体ケースの一部を拡大して示す斜視図である。
【図５】同上本体ケースを示す斜視断面図である。
【図６】同上本体ケースを示す斜視図である。
【図７】同上電気掃除機を示す斜視図である。
【発明を実施するための形態】
【０００８】
以下、一実施形態の構成を図１ないし図７を参照して説明する。
【０００９】
図７において、11はいわゆるキャニスタ型の電気掃除機を示し、この電気掃除機11は、吸込風路体(風路形成体)である管部12と、この管部12が着脱可能に接続される掃除機本体13とを有している。
【００１０】
管部12は、掃除機本体13に接続される接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側、あるいはホース体16の先端側に選択的に着脱可能に接続される吸込口体としての床ブラシ19とを備えている。
【００１１】
手元操作部17には、ループ状の把持部21がホース体16側へと突出し、この把持部21の上部には、操作用の設定ボタン22が複数設けられている。
【００１２】
また、掃除機本体13は、大径の走行輪23を両側に有し旋回輪24を下部に有する本体ケース25を備え、この本体ケース25の上部には、集塵装置26が着脱可能となっている。そして、掃除機本体13は、走行輪23および旋回輪24によって被掃除面である床面上を少なくとも前後方向に沿って走行(移動)可能に構成されている。
【００１３】
本体ケース25は、図３ないし図７に示すように、例えば合成樹脂などにより形成されており、電動送風機31を収容した本体部32と、この本体部32の前部に突設された突出部33とを有している。
【００１４】
電動送風機31は、本体部32内に配置されており、設定ボタン22の操作に応じて、本体部32内に収容された図示しない制御手段により動作が制御される。また、この電動送風機31は、例えばゴムなどの図示しない弾性部材を介して軸方向の両端部が弾性的に支持されている。
【００１５】
本体部32は、集塵装置26の後側の下部を支持する部分であり、電動送風機31および制御手段の他に、この電動送風機31に給電するためのコードリール装置、あるいは二次電池などの図示しない電源部が収容されている。また、この本体部32の前部には、集塵装置26の一部を着脱するための取付凹部34が凹設されており、この取付凹部34の上部に連通口35が形成されている。この連通口35は、本体部32内に上下方向に沿って形成された連通風路部36を介して電動送風機31の吸込側に連通している。さらに、この本体部32の後端部には、電動送風機31からの排気を本体ケース25の外部へと排出する排気孔37が形成されている。そして、本体部32の両側には走行輪23が位置している。
【００１６】
取付凹部34は、上側に位置する第１凹部としての上側凹部34aとこの上側凹部34aの下方に位置する第２凹部としての下側凹部34bとを有している。
【００１７】
上側凹部34aは、上部および前部が本体ケース25の外部と連通しており、上側から下側へと徐々に幅寸法が小さくなるように形成されている。
【００１８】
また、下側凹部34bは、上部が上側凹部34aと連通するとともに前部が本体ケース25の外部と連通している。
【００１９】
また、突出部33は、集塵装置26の前側の下部を支持する部分であり、前方に向けて上方へと傾斜している。さらに、この突出部33の内部から本体部32の内部に亘って、集塵装置26に連通するダクト部38が内部に区画されている。このダクト部38の下流端は、取付凹部34の側方の位置にて本体部32に開口した連通開口39となっている。また、この突出部33の前部には、管部12の接続管部15が接続される本体吸込口40が形成されており、この本体吸込口40がダクト部38の上流端の開口となっている。そして、この突出部33の下部には、旋回輪24が位置している。
【００２０】
また、集塵装置26は、図１ないし図７に示すように、前側に位置し上下方向に沿って軸方向を有する第１遠心分離部である第１分離部41と、この第１分離部41に連通して後側に位置し上下方向に沿って軸方向を有する複数の第２遠心分離部である第２分離部42と、これら第１分離部41および第２分離部42と連通する風路部44と、各第２分離部42の下部に接続される集塵部としての集塵ケース45とを一体的に備えている。
【００２１】
第１分離部41は、ダクト部38を通過した含塵空気を旋回させて繊維ごみなどの比較的大きい塵埃である粗塵を捕集できれば、例えば紙バッグあるいは布バッグなどの集塵袋、あるいは、ウレタンフィルタなどのフィルタを用いるなど、任意の構成とすることができるが、本実施形態では含塵空気を旋回させて繊維ごみなどの比較的大きい塵埃である粗塵を遠心分離(サイクロン分離)および捕集するものであり、有底円筒状をなすケース体51と、このケース体51内に配置された図示しない円筒状の旋回部とを有している。また、この第１分離部41は、例えばクランプなどの図示しない着脱手段によって本体ケース25に対して着脱可能に固定される。そして、この第１分離部41は、例えば集塵装置26が本体ケース25に装着されて着脱手段により本体ケース25に固定された状態で、後方上側に向けて傾斜するように配置されるとともに、取付凹部34の前部を覆う。
【００２２】
ケース体51は、例えば合成樹脂などの部材により形成された円筒状のケース本体54と、このケース本体54の一端部である下端部を開閉可能とする蓋体55とを備え、ケース本体54の上部には風路部44と連通する連結風路56が一体的に形成されている。そして、ケース本体54の後部一側には、ダクト部38の下流端である連通開口39と気密に接続される流入口である図示しない吸込口が形成されており、この吸込口を介して含塵空気がダクト部38からケース体51内へと接線方向に沿って流入するように構成されている。
【００２３】
また、旋回部は、ケース体51(ケース本体54)の上部からこのケース体51(ケース本体54)の内部へと挿入されており、このケース体51(ケース本体54)と同心状に配置されている。そして、この旋回部の周囲には、この旋回部の内部を介して連結風路56と連通する複数の周囲開口部が形成されており、これら周囲開口部はメッシュ状の集塵フィルタによりそれぞれ覆われている。
【００２４】
さらに、連結風路56は、所定方向である前後方向に沿って長手状に形成されており、第１分離部41の上部から各第２分離部42の前部に亘って位置している。
【００２５】
一方、各第２分離部42は、第１分離部41により遠心分離できなかった、粉ごみなどの比較的小さい塵埃(細塵)、すなわち第１分離部41で分離する粗塵よりも微細な塵埃を遠心分離するものである。換言すれば、各第２分離部42は、第１分離部41よりもそれぞれ流速が大きく、遠心分離能力が高い。そして、これら第２分離部42は、本実施形態では例えば両側に前後方向に５つずつ、中央部に前後方向に５つ、合計３列１５個配置されており、両側に位置する５つずつの第２分離部42は、中央部に位置する第２分離部42に対して下側がそれぞれ接近するように傾斜している。
【００２６】
各第２分離部42は、上側から下側へと、すなわち上流側から下流側へと徐々に縮径された長尺円筒状の第２分離部本体61と、この第２分離部本体61の上端部に配置された整流部62とをそれぞれ備えている。
【００２７】
各第２分離部本体61は、整流部62から流入した含塵空気を内周面に沿って旋回させる部分であり、少なくとも内周面の最大径寸法が第１分離部41のケース体51(ケース本体54)よりも小さく、例えばケース体51(ケース本体54)の内周面の半分以下程度の径寸法に設定されている。
【００２８】
また、各整流部62は、各第２分離部本体61の上端からこれら第２分離部本体61内に挿入されて同心状に配置されている。さらに、各整流部62は、上下方向に沿って円筒状に形成された通気部としての通気筒部65と、この通気筒部65の周囲に沿って螺旋状に形成された整流通路部66とをそれぞれ一体に有している。
【００２９】
各通気筒部65は、下端側が第２分離部本体61内へと挿入されて突出している。
【００３０】
また、各整流通路部66は、上流側が前方、すなわち上流側に向けて開口しているとともに、下流側へと徐々に下方に傾斜している。このため、各第２分離部42は、各整流通路部66により、含塵空気が各第２分離部本体61内へと接線方向に沿って流入するように構成されている。
【００３１】
また、風路部44は、第１分離部41の下流側の連結風路56と各第２分離部42の上流側とに連通する分配風路71を下部に有するとともに、各第２分離部42の下流側に連通する連通風路72を上部に有する、上下二層構造となっている。すなわち、この風路部44は、分配風路71と連通風路72とに分割されている。そして、この風路部44は、各第２分離部42と一体的に設けられ、本体ケース25の取付凹部34に対して着脱可能な分離ユニットＵを構成している。
【００３２】
分配風路71は、全ての第２分離部42の上側寄りの位置の外側全体を囲んで前後方向に沿って長手状に形成されており、各第２分離部42の整流部62がそれぞれ並列に連通している。
【００３３】
また、連通風路72は、分配風路71の上側に沿って、前後方向に長手状に形成されており、全ての第２分離部42の下流側すなわち通気筒部65の上端部がそれぞれ並列に連通している。さらに、この連通風路72は、分離ユニットＵを本体ケース25に取り付けた状態で連通口35と気密に接続されることにより連通風路部36を介して電動送風機31の吸込側に連通する。
【００３４】
そして、各第２分離部42を含む分離ユニットＵは、本体ケース25とは別体であり、この本体ケース25の本体部32の取付凹部34の上側凹部34aに対して前後方向に着脱可能となっている。
【００３５】
そして、分離ユニットＵは、例えば風路部44の両側に前後方向に沿って突設された分離部被ガイド部としての上側ガイド凸部74(一方のみ図示)が取付凹部34の上側凹部34aの上端近傍に互いに平行に設けられた分離部ガイド部としての上部ガイドレール75，75間に嵌合することでこれら上部ガイドレール75，75によって前後方向に沿ってガイドされるように構成されている。これら上部ガイドレール75，75は、例えば前側へと徐々に上方に傾斜状、あるいは略水平状となっており、分離ユニットＵを前側上方から後側下方に亘ってガイドするように構成されている。また、この分離ユニットＵは、取付凹部34の上側凹部34aの後部に取り付けられた付勢手段としての分離部付勢手段である上部コイルばね76によって本体ケース25の取付凹部34の上側凹部34aからの取り外し方向である前上方向、あるいは水平方向へと付勢されている。
【００３６】
また、集塵ケース45は、第２分離部42で分離された塵埃(細塵)を収容するものであり、第１分離部41の後方で、かつ、各第２分離部42の下方に位置している。さらに、この集塵ケース45は、集塵部本体としての集塵ケース本体81と、この集塵ケース本体81の上部を覆う集塵部蓋体としての上蓋82とを着脱可能に備えている。そして、集塵ケース本体81の下部が後側から前側へと徐々に下方へと傾斜し、上蓋82には、各第２分離部42の第２分離部本体61の下端側が気密に挿入接続される円形状の開口82aがそれぞれ形成されており、この開口82aの周囲には、シール部材(パッキン)82bが配置されている。さらに、この集塵ケース45の内部は、各第２分離部42(各開口82a)に対応して区画されている。そして、この集塵ケース45は、各第２分離部42(分離ユニットＵ)および本体ケース25とは別体であり、各第２分離部42、および、本体ケース25の取付凹部34の下側凹部34bに対してそれぞれ着脱可能となっている。
【００３７】
ここで、集塵ケース45は、例えば集塵ケース本体81の両側に前後方向に沿って突設された集塵部被ガイド部としての下側ガイド凸部83(一方のみ図示)が取付凹部34の下側凹部34bの上端近傍に互いに平行に設けられた集塵部ガイド部としての下部ガイドレール84，84間に嵌合することでこれら下部ガイドレール84，84によって前後方向に沿ってガイドされるように構成されている。これら下部ガイドレール84，84は、例えば前側へと徐々に下方に、すなわち上部ガイドレール75，75に対して前側へと徐々に離間されるように傾斜しており、集塵ケース45を前側下方から後側上方に亘ってガイドするように構成されている。また、この集塵ケース45は、付勢手段としての集塵部付勢手段である下部コイルばね85によって本体ケース25の取付凹部34の下側凹部34bからの取り外し方向である前下方向へと付勢されている。
【００３８】
そして、上部ガイドレール75，75、下部ガイドレール84，84、上部コイルばね76および下部コイルばね85などにより、ガイド部86が構成されている。したがって、このガイド部86は、第２分離部42(分離ユニットＵ)および集塵ケース45を本体ケース25に対して着脱する前後方向へとガイドし、本体ケース25に対する取り外し方向(前方)へのガイドにより第２分離部42(分離ユニットＵ)と集塵ケース45とを分離するとともに、本体ケース25に対する取り付け方向(後方)へのガイドにより第２分離部42(分離ユニットＵ)と集塵ケース45とを接続するように構成されている。
【００３９】
さらに、集塵ケース45の上蓋82の前部には、連動部としての凸部87が上方へと突設されている。この凸部87は、集塵ケース45の本体ケース25(の取付凹部34の下側凹部34b)への取り付けに第２分離部42を含む分離ユニットＵの本体ケース25(の取付凹部34の上側凹部34a)への取り付けを連動させて同期させるものであり、中央列に位置する最前部の第２分離部42の下部に当接するように構成されている。
【００４０】
そして、第２分離部42を含む分離ユニットＵと集塵ケース45とは、例えば分離ユニットＵを本体ケース25に対して係止する係止手段としての係止クランプ89を介して一体的に係止される。
【００４１】
係止クランプ89は、本体ケース25の取付凹部34の上側凹部34aの一側部に位置しており、両側に回動軸89aが突設され、本体ケース25に対して上下方向に回動可能に軸支されている。また、この係止クランプ89の後部には、解除用の操作部89bが形成されており、この操作部89bの下部には、この操作部89b側を本体ケース25に対して上方へと付勢する付勢部材としてのコイルばね91が配置されている。さらに、係止クランプ89の前部の下側には、爪状の係止部としての係止爪部89cが突出して形成されている。そして、この係止爪部89cが、例えば風路部44などの上部に突出して形成された被係止部としての係止用凸部92に係合することにより、分離ユニットＵおよび集塵ケース45を本体ケース25に一体的に係止可能となっている。
【００４２】
そして、上記集塵装置26は、本体ケース25に対して装着されて係止固定されることにより、吸込口、ケース体51、周囲開口部(集塵フィルタ)、連結風路56、分配風路71、各整流部62、各第２分離部本体61、各通気筒部65、および、連通風路72と連通する集塵風路94を気密に構成している。
【００４３】
次に、上記一実施形態の動作を説明する。
【００４４】
掃除の際には、集塵装置26を掃除機本体13の本体ケース25に予め装着しておく。すなわち、各第２分離部42を含む分離ユニットＵを取付凹部34の上側凹部34aに、集塵ケース45を取付凹部34の下側凹部34bにそれぞれ嵌合させて取り付けて係止クランプ89により固定するとともに、第１分離部41を突出部33上に取り付けて着脱手段により本体ケース25に固定する。この状態で、集塵装置26の第１分離部41の吸込口がダクト部38の連通開口39と気密に接続され、連通風路72が連通口35と気密に接続されることにより、管部12および集塵装置26内の集塵風路94が電動送風機31の吸込側と気密に接続される。
【００４５】
そして、使用者は、電源部により給電可能とした状態で、把持部21を把持して所望の設定ボタン22を操作することにより、制御手段が電動送風機31を、設定された動作モードで駆動させる。
【００４６】
電動送風機31の駆動により生じた負圧は、集塵装置26内の集塵風路94、連通開口39、ダクト部38および本体吸込口40を介して管部12へと作用する。そして、管部12では、ホース体16、延長管18および床ブラシ19と負圧が作用して、被掃除面に載置した床ブラシ19の先端などから、塵埃を空気とともに吸い込む。
【００４７】
含塵空気は、床ブラシ19、延長管18およびホース体16を介して、本体吸込口40からダクト部38の連通開口39を介して集塵装置26の第１分離部41の内部へと吸込口を介して流入する。この吸込口から流入した含塵空気は、第１分離部41のケース体51(ケース本体54)と旋回部との間で周方向に旋回し、粗塵が遠心分離されて下方へと重力落下し、第１分離部41に捕集される。
【００４８】
第１分離部41を旋回する含塵空気は、集塵フィルタを介して周囲開口部から旋回部の内部へと流入する。そして、この集塵フィルタの通過の際には、この含塵空気中の粗塵よりも細かい塵埃が集塵フィルタに捕集される。
【００４９】
旋回部を通過した含塵空気(細塵を含んだ空気)は、連結風路56を通過した後、風路部44の分配風路71へと流入する。そして、この分配風路71から、各第２分離部42の整流部62の整流通路部66へとそれぞれ分岐して流入し、これら整流通路部66により整流されつつ各第２分離部本体61内へと流入する。
【００５０】
これら第２分離部本体61に流入した含塵空気は、これら第２分離部本体61の内周面に沿って周方向に、第１分離部41のケース体51内での旋回の流速よりも大きな流速で旋回し、細塵が遠心分離されて各第２分離部本体61の下端部から集塵ケース45へとそれぞれ重力落下してこの集塵ケース45内に捕集される。細塵が除去された澄んだ空気は、各第２分離部42の整流部62の通気筒部65を通過して風路部44の連通風路72へと抽出されて合流する。
【００５１】
そして、連通風路72に合流した空気は連通口35および連通風路部36を介して電動送風機31へと吸い込まれ、この電動送風機31内を通過してこの電動送風機31を冷却した後、この電動送風機31から排気されて排気風となり、排気孔37から掃除機本体13の本体ケース25の外部へと排気される。
【００５２】
掃除が終了すると、使用者が設定ボタン22を操作することで、制御手段が電動送風機31を停止させる。そして、所定量以上の塵埃が第１分離部41および集塵ケース45に溜まった場合には、使用者は集塵装置26を掃除機本体13から取り外して塵埃をそれぞれ廃棄する。
【００５３】
このとき、使用者が着脱手段を操作すると、第１分離部41が本体ケース25から取り外し可能となるので、使用者は本体ケース25から取り外した第１分離部41の蓋体55をごみ箱上などで開くことで、内部に捕集した塵埃(粗塵)を廃棄する。
【００５４】
また、第１分離部41を取り外した状態で使用者が係止クランプ89の操作部89bをコイルばね91の付勢に抗して下方へと押し込んで係止クランプ89の前部側すなわち係止爪部89c側を上方へと回動させることでこの係止爪部89cによる分離ユニットＵおよび集塵ケース45の係止を解除すると、各コイルばね76，85の付勢力によって第２分離部42を含む分離ユニットＵと集塵ケース45とが上部ガイドレール75，75と下部ガイドレール84，84とに沿って前方へとガイドされることにより、分離ユニットＵ(各第２分離部42)が前側上方へ、集塵ケース45が前側下方へ、互いに離間されるように移動し、集塵ケース45の各開口82aから各第２分離部42の各第２分離部本体61の下端部が上方へと離間し、分離ユニットＵ(各第２分離部42)と集塵ケース45とが互いに上下に分離される。そして、使用者は集塵ケース45を前方へとさらに引き出して本体ケース25から取り外した後、上蓋82を集塵ケース本体81から取り外し、集塵ケース本体81をごみ箱などの奥に入れて内部の塵埃を廃棄する、または、集塵ケース本体81の内部を水などによって洗浄する。さらに、各第２分離部42を手入れする場合には、分離ユニットＵ(各第２分離部42)を前方へとさらに引き出して本体ケース25から取り外した後、整流部62をそれぞれ第２分離部本体61から取り外して、これら第２分離部本体61の内部に付着した塵埃を除去する。
【００５５】
また、塵埃を廃棄した集塵ケース45を本体ケース25に装着する際には、まず、第２分離部42を含む分離ユニットＵを、上側ガイド凸部74を上部ガイドレール75，75間に嵌合させてこれら上部ガイドレール75，75に沿わせつつ取付凹部34の上側凹部34aに前方から、分離ユニットＵ(各第２分離部42)の後部が上部コイルばね76に当接する位置まで挿入する。次いで、集塵ケース45を、下側ガイド凸部83を下部ガイドレール84，84間に嵌合させてこれら下部ガイドレール84，84に沿わせつつ取付凹部34の下側凹部34bに前方から、集塵ケース45の後部が下部コイルばね85に当接する位置まで挿入する。そして、集塵ケース45を下部コイルばね85の付勢に抗して下部ガイドレール84，84に沿って後方へと押し込むと、凸部87が分離ユニットＵ(各第２分離部42)の前側下部に当接することで、分離ユニットＵ(各第２分離部42)が集塵ケース45と連動して一体的に、上部コイルばね76の付勢に抗して上部ガイドレール75，75に沿って後方へと押し込まれる。
【００５６】
この結果、上部ガイドレール75，75と下部ガイドレール84，84とに沿って分離ユニットＵ(各第２分離部42)と集塵ケース45とが互いに同期しながら、換言すれば前後方向の移動のタイミングを合わせながら後方へとガイドされることにより、分離ユニットＵ(各第２分離部42)が後側下方へ、集塵ケース45が後側上方へ、互いに徐々に接近するように移動し、集塵ケース45の各開口82aの周縁のシール部材82bに各第２分離部42の各第２分離部本体61の下端部が下方に向けて、すなわち分離ユニットＵ(各第２分離部42)と集塵ケース45との移動方向に対して交差する方向へと圧接され、分離ユニットＵ(各第２分離部42)と集塵ケース45とが互いに上下に気密に接続される。そして、これら分離ユニットＵ(各第２分離部42)および集塵ケース45を、取付凹部34に対して最大に押し込むことで、係止用凸部92が係止クランプ89の係止爪部89cをコイルばね91の付勢に抗して押し上げ、この係止爪部89cの後方に位置することで係止クランプ89が復帰回動して係止爪部89cが係止用凸部92を係止し、コイルばね91の付勢によってこの係止クランプ89による係止が保持されることで本体ケース25に対して係止状態で固定される。
【００５７】
以上説明した一実施形態によれば、集塵ケース45を本体ケース25に対して着脱する方向へとガイドし、本体ケース25に対する取り外し方向へのガイドにより第２分離部42(分離ユニットＵ)と集塵ケース45とを分離させるとともに、本体ケース25に対する取り付け方向へのガイドにより第２分離部42(分離ユニットＵ)と集塵ケース45とを接続させるガイド部86を備えることで、集塵ケース45を第１分離部よりも小型に形成できるとともに、第１分離部とは別個に集塵ケース45のみを本体ケース25から取り外しできる。このため、第１分離部41に溜まった粗塵と集塵ケース45に溜まった細塵とをそれぞれ異なる方法で廃棄することが可能になる。
【００５８】
すなわち、第１分離部41に捕集した粗塵はごみ箱などに廃棄する一方で、集塵ケース45に捕集される細塵は、ごみ箱などに廃棄する際に舞い上がりやすいため、集塵ケース45をごみ箱の奥へと挿入して廃棄したり、集塵ケース45を水洗いして除去したりすることが可能となるなど、塵埃をその大きさに適した廃棄方法で廃棄可能となり、塵埃の廃棄が容易になる。
【００５９】
しかも、集塵ケース45は第１分離部41よりも小型に形成できるので、例えば集塵ケース45を水洗いした場合でも乾燥や水の拭き取りなどに時間を要さず、この水洗い後、直ちに掃除に復帰できるなど、メンテナンス性をより向上できる。
【００６０】
また、第２分離部42(分離ユニットＵ)を本体ケース25から取り外し可能とすることで、第２分離部42の第２分離部本体61に付着した塵埃などをも除去でき、第２分離部42の手入れがより容易になる。
【００６１】
さらに、第２分離部42(分離ユニットＵ)と集塵ケース45とのそれぞれを上部コイルばね76と下部コイルばね85とにより本体ケース25に対する取り外し方向へと、これら第２分離部42(分離ユニットＵ)と集塵ケース45とが互いに分離する位置まで付勢することで、係止クランプ89による係止を解除するだけで第２分離部42(分離ユニットＵ)と集塵ケース45とが互いに分離されるので、第２分離部42(分離ユニットＵ)と集塵ケース45との分離がより容易になる。
【００６２】
そして、集塵ケース45に設けた凸部87により、集塵ケース45の本体ケース25への取り付けに第２分離部42(分離ユニットＵ)を連動させることで、集塵ケース45を本体ケース25の取付凹部34の下側凹部34bに取り付けるように押し込むだけで、第２分離部42(分離ユニットＵ)を本体ケース25の取付凹部34の上側凹部34aに押し込むことが可能になり、集塵ケース45および第２分離部42(分離ユニットＵ)を本体ケース25に対してより容易に取り付けできる。
【００６３】
なお、付勢手段としては、例えば第２分離部42(分離ユニットＵ)と集塵ケース45とのいずれか一方を付勢し、一方の移動に他方を連動させることで、第２分離部42と集塵ケース45とが互いに分離する構成としてもよい。
【００６４】
また、凸部87は、第２分離部42側に設けてもよいし、第２分離部42と集塵ケース45との両方にそれぞれ設けてもよい。
【００６５】
さらに、第２分離部42を含む分離ユニットＵおよび集塵ケース45を本体ケース25に係止する構造は、係止クランプ89に限定されるものではない。
【００６６】
そして、本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００６７】
11    電気掃除機
25    本体ケース
31    電動送風機
41    第１分離部
42    第２分離部
45    集塵部としての集塵ケース
75    分離部ガイド部としての上部ガイドレール
76    付勢手段としての上部コイルばね
84    集塵部ガイド部としての下部ガイドレール
85    付勢手段としての下部コイルばね
86    ガイド部
87    連動部としての凸部
【図１】
2013059500.tif 000003
【図２】
2013059500.tif 000004
【図３】
2013059500.tif 000005
【図４】
2013059500.tif 000006
【図５】
2013059500.tif 000007
【図６】
2013059500.tif 000008
【図７】
2013059500.tif 000009